(57)【要約】      （修正有）【課題】ロール体の外径や内径に関わらず、ロール体を容易に着脱することが可能なロール支持装置を提供する。【解決手段】ロール支持装置８００には、筒状をなすロール体ＳＲのロールコアＳＲ１に形成される貫通孔ＳＲ２の内面を支持可能なロールコア支持ユニット８０３が設けられている。さらに、ロール支持装置８００は、ロール体の装着に連動してロール体の装着を妨げない退避位置からロール体を支持する支持位置へロールコア支持ユニットを移動させると共に、ロール体を装着する方向とは逆の方向へと移動させることによるロール体の脱離に連動してロールコア支持ユニットを前記退避位置に移動させる連動ユニット８０２を備える。【選択図】図１１
2018043810.tif 000002
【特許請求の範囲】
【請求項１】
筒状をなすロール体のロールコアに形成される貫通孔の内面を支持可能なロールコア支持ユニットと、
前記ロール体の装着に連動して前記ロール体の装着を妨げない退避位置から前記ロール体を支持する支持位置へ前記ロールコア支持ユニットを移動させると共に、前記ロール体を装着する方向とは逆の方向へと移動させることによる前記ロール体の脱離に連動して前記ロールコア支持ユニットを前記退避位置に移動させる連動ユニットと、
を有することを特徴とするロール支持装置。
【請求項２】
前記ロールコア支持ユニットの支持可能なロール体の幅が調整可能であることを特徴とする請求項１に記載のロール支持装置。
【請求項３】
前記ロールコア支持ユニットは、ロールコアの回転に従動して回転可能な回転体を有することを特徴とする請求項１または２に記載のロール支持装置。 
【請求項４】
前記ロールコア支持ユニットは、前記ロール体が装着されていないときには第１付勢手段によって前記退避位置に向けて付勢され、
前記ロール体が装着されているときには第２付勢手段によって前記装着位置へ向けて付勢されることを特徴とする請求項１ないし３のいずれか一項に記載のロール支持装置。
【請求項５】
前記第１、第２付勢手段は、弾性部材によって構成されることを特徴とする請求項５に記載のロール支持装置。
【請求項６】
前記第１付勢手段および第２付勢手段は、前記ロールコア支持ユニットに作用する重力であることを特徴とする請求項５に記載のロール支持装置。
【請求項７】
前記ロールコア支持ユニットおよび前記連動ユニットは、共通の支点軸に対して回動自在に支持されることを特徴とする請求項１ないし６のいずれか一項に記載のロール支持装置。
【請求項８】
前記弾性部材は、巻きばねであることを特徴とする請求項５に記載のロール支持装置。
【請求項９】
ロール状の記録媒体を支持するロール支持装置から引き出されたシート状の記録媒体に記録を行う記録手段を備えた記録装置であって、
前記ロール支持装置は、
筒状をなすロール体のロールコアに形成される貫通孔の内面を支持可能なロールコア支持ユニットと、
前記ロール体の装着に連動して前記ロール体の装着を妨げない退避位置から前記ロール体を支持する支持位置へ前記ロールコア支持ユニットを移動させると共に、前記ロール体を装着する方向とは逆の方向へと移動させる前記ロール体の脱離に連動して前記ロールコア支持ユニットを前記退避位置に移動させる連動ユニットと、
を有することを特徴とする記録装置。
【発明の詳細な説明】
【技術分野】
【０００１】
本発明は、筒状のロール体を回転可能に支持するロール支持装置、および該ロール支持装置を備えた記録装置に関する。
【背景技術】
【０００２】
記録媒体をロール状に巻いたロール紙を用いるプリンタには、ロール紙を回転可能に支持する支持装置が設けられている。支持装置におけるロール紙の支持方式としては、回転可能なローラを複数配置した領域の上にロール紙を置く直置き方式や、ロール紙の中心部（以下、ロールコアともいう）に軸を通し、ロール紙を浮かせた状態で支持するロールコア支持方式などがある。直置き方式では、ロール紙をローラ上に置くだけでロールをセットできるため、高い操作性を有する一方で、ロール紙の回転負荷によって記録精度に影響を与えるおそれがある。また、ロールコア支持方式は、ロール紙のロールコアに通した軸の両端をベアリングなどによって回動自在に支持することで、ロール紙の回転負荷を低減することが可能であるが、ロールコアに軸を通す必要があるため操作性が低い。
【０００３】
また、特許文献１には、ロール紙を一定方向へと移動させるとロールコアが係止ピンに支持されて装着状態となり、ロール紙を逆方向へと移動させると係止ピンによるロールコアの支持が解除され、ロール紙を取出すことが可能になる構成が開示されている。
【先行技術文献】
【特許文献】
【０００４】
【特許文献１】特許第４２５１７０１号公報
【発明の概要】
【発明が解決しようとする課題】
【０００５】
特許文献１に開示の装置は、ロールコアを支持する係止ピンが固定された揺動部材がロール紙の移動によって枢軸７を中心に揺動する構成となっている。このため、枢軸から係止ピンまでの距離、および枢軸から揺動部材の端部までの距離によって装着し得るロール紙が制限されるという課題がある。例えば、規定のロール紙より外径の小さいロール紙が使用された場合、ロール紙の外周部が揺動部材の枢軸より下部に当接する時点で、ロールコアが係止ピンとの対向位置を通過してしまい、係止ピンがロールコア内に侵入できず支持不能となることがある。このように、特許文献１に開示の装置では、使用可能なロール紙が制限され、汎用性が低いという課題がある。
【０００６】
本発明は、ロール体の外径や内径に関わらず、ロール体を容易に着脱することが可能なロール支持装置、および記録装置の提供を目的とする。
【課題を解決するための手段】
【０００７】
本発明の第１の形態は、筒状をなすロール体のロールコアに形成される貫通孔の内面を支持可能なロールコア支持ユニットと、前記ロール体の装着に連動して前記ロール体の装着を妨げない退避位置から前記ロール体を支持する支持位置へ前記ロールコア支持ユニットを移動させると共に、前記ロール体を装着する方向とは逆の方向へと移動させることによる前記ロール体の脱離に連動して前記ロールコア支持ユニットを前記退避位置に移動させる連動ユニットと、を有することを特徴とするロール支持装置である。
【０００８】
本発明の第２の形態は、ロール状の記録媒体を支持するロール支持装置から引き出されたシート状の記録媒体に記録を行う記録手段を備えた記録装置であって、前記ロール支持装置は、筒状をなすロール体のロールコアに形成される貫通孔の内面を支持可能なロールコア支持ユニットと、前記ロール体の装着に連動して前記ロール体の装着を妨げない退避位置から前記ロール体を支持する支持位置へ前記ロールコア支持ユニットを移動させると共に、前記ロール体を装着する方向とは逆の方向へと移動させる前記ロール体の脱離に連動して前記ロールコア支持ユニットを前記退避位置に移動させる連動ユニットと、を有することを特徴とする。
【発明の効果】
【０００９】
本発明によれば、ロール体の外径や内径に関わらず、ロールを容易に着脱することが可能になる。
【図面の簡単な説明】
【００１０】
【図１】記録装置の外観を示す斜視図である。
【図２】図１に示した記録装置から搬送手段を取り外した状態を示す斜視図である。
【図３】図１のＩＩＩ−ＩＩＩ線断面図である。
【図４】搬送手段にシートロールを装着する前の状態を示す斜視図である。
【図５】搬送手段にシートロールを装着した状態を示す斜視図である。
【図６】第１の実施形態におけるロール支持装置の平面図である。
【図７】ロール案内部材を案内面側から見た斜視図である。
【図８】ロール案内部材を背面側から見た斜視図である。
【図９】支持機構における第１、第２の巻きばねの取り付け状態を示す斜視図である。
【図１０】支持機構の初期状態を示す縦断正面図である。
【図１１】シートロール装着中の支持機構の状態を示す縦断正面図である。
【図１２】シートロール装着完了時の状態を示す縦断正面図である。
【図１３】図１２に示したものの側面図である。
【図１４】第１の実施形態における変形例の初期状態を示す斜視図である。
【図１５】図１４に示したもののシートロール装着完了時の状態を示す斜視図である。
【図１６】図１５に示したもののＸＶＩ−ＸＶＩ線断面斜視図である。
【図１７】第２の実施形態におけるロール支持装置の縦断側面図である。
【図１８】第２の実施形態におけるロール支持装置の動作を示す縦断側面図である。
【発明を実施するための形態】
【００１１】
以下、添付図面を参照しつつ本発明の実施形態を詳細に説明する。図１は、本発明の実施形態における記録装置の外観を示す斜視図である。記録装置１００は、装置の外殻をなす記録装置本体（以下、装置本体という）１０１の内部に後述の記録手段１０２と、記録媒体の搬送手段１０３とを備える。装置本体１０１には、記録手段１０２を収容する第１筐体部１０１Ａと、搬送手段１０３を収容可能な第２筐体部１０１Ｂとが形成されている。記録手段１０２は、装置本体１０１における第１筐体部１０１Ａの一定位置に保持・固定されているが、搬送手段１０３は、装置本体１０１の第２筐体部１０１Ｂに対して引き出し及び装着可能に構成されている。図２は、搬送手段１０３を記録装置本体１０１から取り外した状態を示しており、取り外した搬送手段１０３は、装置本体１０１の設置箇所から離れた任意の箇所へと持ち運ぶことができる。
【００１２】
図２に示すように、搬送手段１０３は、記録媒体としてのシートをプラテン上の搬送経路に給送する給送部１１８と、搬送経路に給送されたシートを搬送方向Ａ１に搬送する搬送部１１９と、シートＳＨを搬送手段１０３の外に排出する排出部１２０と、を備える。装置本体１０１から搬送手段１０３を取り外す場合には、まず、搬送レバー３０４を引いて手前に回転させる。その後さらに搬送レバー３０４を持って手前（搬送方向Ａ１）に沿って引くことにより、装置本体１０１を記録媒体の搬送方向Ａ１に沿って引き出すことができる。なお、図２中、Ａは搬送手段１０３が装置本体１０１に対して移動可能な方向を指す。引き出した装置本体１０１は完全に装置本体１０１から脱離させることができる。このため、記録媒体ＳＨにおいてジャムが発生しても、ユーザは広い空間でのジャム処理作業が可能となる。
【００１３】
搬送手段１０３は、図１に示すように第２筐体部１０１Ｂに挿入されているとき、ドロワーコネクタ１１７（図３参照）によって制御手段を有するメイン基板（不図示）に接続されている。搬送モータ１１５（図３参照）などの各部の駆動に必要な電力は、メイン基板から供給される。また、搬送手段１０３を記録装置１０１から取り出すときには、前述のように搬送レバー３０４を引くことで、搬送レバー３０４の内部に備えてある搬送開閉検知スイッチ１２１（図３参照）が搬送手段１０３と電源との通電を遮断した状態となる。このため、搬送手段１０３が電源に通電された状態でユーザに引き抜かれること（活電挿抜）を防ぐことが可能となっている。なお、排出部１２０には、排出口が形成されると共に、ここから排出される記録媒体を切り離すカッターユニットが備えられている。
【００１４】
次に、図３を参照して本実施形態における記録装置１０１の内部構造について説明する。なお、図３は図１のIII−III線断面図である。本実施形態における記録装置１０１は、インクジェット記録ヘッドからインクを吐出して画像を形成するインクジェット記録装置により構成されている。また、本明細書中において、記録装置１０１における、図１の搬送レバー３０４および排出口が構成されている側が、ユーザが操作するための操作側（記録装置１０１の正面）となっている。さらに、図２において、ＷＬは記録装置１０１の左側を、ＷＲは図３の右側を指す。
【００１５】
本実施形態に係る記録装置１００では、画像を記録するための記録媒体として、長尺なシートを筒状に巻いたシートロール（ロール体）が用いられている。使用可能なシートロールＳＲの幅サイズ（ロール幅サイズ）は１インチ（２５．４ｍｍ）幅から６３ｍｍ幅までであり、使用可能なシートの種類は普通紙、光沢紙、マット紙、および合成紙など種々様々である。これらのシートロールＳＲのセットは、装置本体１０１の略中央部を基準としている。なお、本実施形態では、連続した帯状の台紙と、台紙の一面にその長手方向に沿って一定の間隔を介して貼着された複数のラベルと、を有するシートロールＳＲを用いている。
【００１６】
前述のように、記録装置１００は、記録手段１０２と搬送手段１０３とを備えており、さらに、記録手段１０２の左側に、メイン基板と、その下部にメンテナンスカートリッジとを備えている。記録手段１０２はインクタンク１０４〜１０７と記録ヘッド１０８〜１１１と、記録ヘッド１０８〜１１１の吐出口を覆うためのキャップ部である回復桶１１２と、ポンプユニット１１３とを含んで構成されている。
【００１７】
インクタンクは４種類あり、インクタンク１０４はイエロー、インクタンク１０５はマゼンダ、インクタンク１０６はシアン、インクタンク１０７はブラックである。各インクタンク１０４〜１０７は各記録ヘッド１０８〜１１１と１対１に対応している。すなわち、インクタンク１０４は記録ヘッド１０８に、インクタンク１０５は記録ヘッド１０９に、インクタンク１０６は記録ヘッド１１０に、インクタンク１０７はインクタンク１１１に、それぞれインクを供給する構成となっている。なお、以下の説明において、各インクタンクおよび各記録ヘッドを特に区別する必要がない場合には、インクタンク１０４〜１０７をインクタンクＴと記載し、記録ヘッド１０８〜１１１を記録ヘッドＨと記載する。
【００１８】
各記録ヘッドＨは、画像情報に基づいてインクを吐出してシートロールＳＲから繰り出したシート状の記録媒体（以下、単にシートという）に画像を記録するインクジェット方式を用いた記録ヘッドである。記録ヘッドＨの吐出口面には、複数の吐出口を配列した吐出口列が形成されている。この吐出口列は、搬送方向Ａ１と交差する方向（本実施形態においては直交する方向）に延在するように構成されている。各吐出口に連通する液路には、インクを吐出するためのエネルギーを発生するエネルギー発生素子が配置されている。このエネルギー発生素子を記録情報に基づいて駆動することにより、吐出口からインク滴を吐出することにより画像が記録される。なお、エネルギー発生素子としては、例えば、電気熱変換素子（ヒータ）または電気機械変換素子（ピエゾ）などを適用することが可能である。
【００１９】
図示の記録ヘッドＨは、使用可能なロール紙の最大幅（搬送方向Ａ１と交差する方向におけるシートロールＳＲの最大の長さ）以上の範囲に亘って吐出口が配列された、いわゆるラインヘッドとなっている。このラインヘッドからインク滴を吐出しつつ連続的にシートを搬送することにより、１ライン単位で画像が形成される。なお、記録ヘッドを記録媒体の搬送方向と交差する方向に移動させて記録を行う、いわゆるシリアル型のインクジェット記録装置にも本発明は適用可能である。
【００２０】
搬送手段１０３には、給送部１１８と搬送部１１９と排出部１２０とが設けられている（図２参照）。さらに、搬送手段１０３には、搬送モータ１１５と、カッターユニット１１４、記録媒体ＳＨを検出する記録媒体検出手段なども設けられている。なお、搬送手段には、搬送部１１９の搬送ローラ６０２からプラテン４０６上を通過して排出部１２０に至る搬送経路Ｒが形成されている。
【００２１】
シートロールＳＲから引き出されたシートはピンチローラユニット６０５のピンチローラ６０１と搬送ローラ６０２との間に挟持され、搬送ローラ６０２の回転によって給送部１１８から搬送手段１０３の搬送経路Ｒに沿って搬送される。記録ヘッドＨは搬送されて来たシートに対し所定のタイミングでインク滴を吐出し、画像を形成する。画像が形成されたシートは排出ローラ１００１の回転により搬送手段１０３の外へと排出される。
【００２２】
図４および図５に示すように、給送部１１８には、シートロールＳＲを支持するロール支持装置８００が設けられている。ロール支持装置８００は、ロールホルダユニット８０１と、ロールホルダユニット８１０に設けられた一対のロール案内部材８０１の対向間隔を調整するロールホルダ調整機構８３０とを有する。一対のロール案内部材８０１は、それぞれ、シート搬送方向（Ａ方向）と平行し、かつ垂直な案内面８０９を有する。各ロール案内部材８０１の案内面８０９は互いに対向している。また、一対のロール案内部材８０１は、いずれもシート搬送方向（Ａ方向）と直交するＢ方向（シート幅方向）に沿って平行移動し得るよう搬送手段１０３のフレーム部分に支持されている。この一対のロール案内部材８０１の案内面の間に、使用すべきシートロールＳＲが挿入される。
【００２３】
ロールホルダ調整機構８３０は、相対向するロール案内部材８０１の案内面８０９の距離間隔を調整可能とするものである。このロールホルダ調整機構８３０は、一対のロール案内部材８０１それぞれの下端部に設けられたラック８０８と、搬送手段１０３に回動自在に支持され、両ラック８０８の歯部に噛合するピニオンギヤ８０７とを備える。両ロール案内部材８０１は、ピニオンギヤ８０７の中心を通過し、かつシート搬送方向Ａと平行する基準線Ｌ１に対して、同時に同一距離だけ相反する方向へと移動する。これにより、ロール案内部材８０１は基準線Ｌ１に対して常に線対称となる位置に保持される。このロールホルダ調整機構８３０によって、様々なロール幅サイズのシートロールＳＲを使用することが可能になる。
【００２４】
次に、図７ないし図１３を参照してロールホルダユニット８１０の構成をより詳細に説明する。ロールホルダユニット８１０は、前述のように一対のロール案内部材８０１を備え、各ロール案内部材８０１には、図７および図８に示すように、それぞれ、シートロールＳＲを支持するための支持機構８２０が設けられている。各ロール案内部材８０１および支持機構８２０は、それぞれ、基準線Ｌ１（図６参照）に対して互いに線対称となる位置に配置されている以外は同一であるため、ここでは一方のロール案内部材８０１およびロール支持機構８２０を例に採り説明する。
【００２５】
図７に示すように、ロール案内部材８０１には、案内面８０９より背面側に窪んだ凹部８０１ｂが形成されている。凹部８０１ａには、シート搬送方向（Ａ方向）と平行する支点軸８０６（図８参照）が設けられている。支点軸８０６には、作動部材８０２に形成された二股状の連結部８０２ａが回動自在に支持されている。この作動部材８０２は、下方への回転（変位）時において図１０に示すように凹部８０１ａ内に格納可能となっている。さらに、支点軸８０６には、シートロールＳＲのロールコアＳＲ１の貫通孔ＳＲ２の内面を支持可能なロールコア支持ユニット８０３に形成された二股状の連結部８０３ａが回動自在に支持されている。このロールコア支持ユニット８０３は、上方への回転時において図９に示すように凹部８０１ａ内に格納可能となっている。このように、連動ユニットとしての作動部材８０２とロールコア支持ユニットとは、共通の支点軸に対して回動自在に支持されている。
【００２６】
また、支点軸８０６には、図８および図９（ａ）に示すように、第１の弾性部材としての第１の巻きばね（第１付勢手段）８０４が挿通されており、その一端部はロール案内部材８０１に、他端部は作動部材８０２に係止されている。この第１の巻きばね８０４の付勢力によって、作動部材８０２は、支点軸８０６を中心とした回転方向（β方向（図１０中、時計方向））へと付勢されている。さらに、支点軸８０６には、図８および図９（ｂ）に示すように、第２の弾性部材としての第２の巻きばね（第２付勢手段）８０５が挿通されている。この第２の巻きばね８０５は、図９（ｂ）に示すように、一端部が作動部材８０２に、他端部がロールコア支持ユニット８０３に係止されている。この第２の巻きバネ８０５の付勢力によって、作動部材８０２とロールコア支持部材ユニット８０３とは支点軸８０６を中心に互いに一定の角度を維持するように互いに異なる方向（作動部材８０２はα方向、ロールコア支持ユニット８０３はβ方向）へと付勢されている。作動部材８０２はロールコア支持ユニット８０３を付勢力により移動させる連動ユニットとして動作する。
【００２７】
シートロールＳＲが装着されていない初期状態においては、第２の巻きばね８０５により、図９（ｂ）に示すように、作動部材８０２の当接部８０２ｃとロールコア支持ユニット８０３の当接部８０３ｃとが互いに当接する。この状態で、両部材８０２と８０３それぞれの中心軸線が互いに直交した状態に保たれる。さらに、初期状態においては、第１の巻きばね８０５の付勢力により、作動部材８０２が凹部８０１ａから外方へと突出し、その中心軸線が略水平な状態に保たれる。その結果、作動部材８０２に当接しているロールコア支持ユニット８０５は、図１０に示すように、凹部８０１ａの側面８０１ｂに当接し、凹部８０１ａ内に格納された状態となる。上記の作動部材８０２、ロールコア支持ユニット８０３、第１、第２の巻きばね８０５、８０４により、本実施形態における支持機構８２０が構成されている。なお、図１０に示す初期状態における作動部材８０２およびロールコア支持ユニット８０３の位置を初期位置（第１位置）と称す。作動部材８０２の初期位置、すなわち凹部８０１ａに格納される位置は、ロールシート（ロール体）を装着する際の妨げとならない退避位置となる。
【００２８】
第１の巻きばね８０４と、第２の巻きばね８０５による付勢力が軽いほど、シートロール挿入時の操作力は小さくて済み、シートロールＳＲの端面と作動動部材８０２およびロールコア支持ユニット８０３との摺擦跡は軽減される。従って、第１、第２の巻きばね８０５、８０４の付勢力は、図１０に示す初期状態を維持でき、かつ作動部材８０２の作動に従ってロールコア支持ユニット８０３が支点軸８０６を中心にスムーズに回転できる程度の弾性力を有していることが好ましい。
【００２９】
次に、上記構成を有するロール支持装置８００について、シートロールＳＲを挿入する際の動作を図１０ないし図１３を参照しつつ説明する。なお、図１０ないし図１２は図６のＸ−Ｘ線断面を示す図である。シートロールＳＲをロール支持装置８００に装着する場合には、使用するシートロールＳＲの幅に応じて、一対のロール案内部材８０１の対向間隔をロールホルダ調整機構８３０（図６参照）により調整しておく。
【００３０】
図１０に示す初期状態において一対のロール案内部材８０１の間に、シートロールＳＲを上方から挿入すると、シートロールＳＲの外周部が作動部材８０２の接触面８０２ｂに当接し、作動部材８０２を下方へと押圧する。これにより作動部材８０２は初期位置（第１位置）から支点軸８０６を中心に下方（β方向）へと回転し、図１１に示すように、ロール案内部材８０１の凹部８０１ａ内へと格納される。この間、作動部材８０２の回転力は、第２の巻きばね８０５を介してロールコア支持ユニット８０３に伝達されるため、ロールコア支持ユニット８０３も作動部材８０２と共に支点軸８０６を中心に同方向（β方向）へと若干回転する。但し、ロールコア支持ユニット８０３の側方には、シートロールＳＲの側面が存在しているため、ロールコア支持ユニット８０３はシートロールＳＲの側面に当接し、それ以上の回転は阻止される。
【００３１】
この後、作動部材８０２のβ方向への回転に伴ってロールコア支持ユニット８０３とのなす角度は初期状態の９０°から拡大されていき、その拡大に伴って第２の巻きばね８０５の両端部のなす角度も初期状態の９０°より拡大されていく。これに伴い、第２の巻きばね８０５には、ロールコア支持ユニット８０３および作動部材８０２をシートロールＳＲの側面に押し当てる付勢力が発生する。
【００３２】
シートロールＳＲがさらに下方へと移動し、ロールコア支持ユニット８０３がシートロールＳＲの貫通孔ＳＲ２との対向位置に達すると、第２の巻きばね８０５の付勢力によってロールコア支持ユニット８０３が図１２および図１３に示すように貫通孔ＳＲ２内に突出する。これにより、ロールコア支持ユニット８０３はシートロールＳＲのロールコアＳＲ１を回動自在に支持する。このときのロールコア支持ユニット８０３の位置を第２位置（支持位置）と称す。第２位置において、ロールコア支持ユニット８０３には、シートロールＳＲの重さによって下方への荷重がかかる。しかし、作動部材８０２はロール案内部材８０１の側面８０１ｂに当接し、かつロールコア支持ユニット８０３の当接部８０３ｃが作動部材８０２の当接部８０２ｃに当接しているため、作動部材８０２はそれ以上下方へと回転することはない。従って、シートロールＳＲからロールコア支持ユニット８０３に荷重が加わったとしても、シートロールＳＲがロールコア支持ユニット８０３から脱落することはない。このときの作動部材８０２の位置をシートロール装着完了位置と称す。なお、シートロールＳＲを支持した状態で、ロールコア支持ユニット８０３は、シートロールＳＲの貫通孔ＳＲ２内で水平な状態に保たれる。このため、ロールコア支持ユニット８０３の上部がロールコア支持ユニット８０３の内周面に均一に接触することとなり、ロールコア支持ユニット８０３の接触抵抗は軽減され、シートロールＳＲはスムーズに回転する。なお、
シートロール支持装置８００からシートロールＳＲを取り外す場合には、シートロールＳＲを上方へと引き上げる。シートロールＳＲの上昇に伴い、シートロールコア支持ユニット８０３はロールコアＳＲ１によって上方へと押し上げられて（α方向）へと回転し、図１１に示すようにシートロールＳＲの貫通孔ＳＲ２から抜脱し、凹部８０１ａ内に格納される。すなわち、シートロールＳＲの挿脱経路から退避した状態となる。このため、シートロールＳＲはロールコア支持ユニット８０１に引っ掛かることなく一対のロールホルダ８０１の間から取り出される。また、シートロールＳＲの側面が作動部材８０２との対向位置より上方へと移動することにより、作動部材８０２は第１、第２の巻きばね８０４、８０５の第２の付勢力によって上方（α方向）へと回転し、最終的に水平状態になる。これにより、ロールコア支持ユニット８０３および作動部材８０２は初期位置に復帰することとなる。
【００３３】
このように、本実施形態においては、作動部材８０２とロールコア支持ユニット８０３とが、支点軸８０６によって互いに独立して移動可能（回動可能）に取り付けられている。そして、シートロールＳＲの挿入開始からロールコア支持ユニット８０３がロールコアＳＲ１の貫通孔ＳＲ２に挿入されるまでの間、すなわちシートロール装着完了までの間、両部材のなす角度を変化させることが可能にとなっている。従って、シートロールＳＲの外径の大小に関わりなく、確実かつ容易にシートロールＳＲをロールコア支持ユニット８０３に支持させることが可能になる。さらに、ロールコア支持ユニット８０３および作動部材８０２は第２の巻きばね８０５によって弾性的に連結され、シートロールＳＲが取り出されることにより、両部材は、初期位置に復帰するため、シートロールＳＲの着脱を繰り返し行うことが可能になる。
【００３４】
また、本実施形態では、ロール支持装置８００の上方空間からシートロールＳＲを挿入し、上方空間へとシートロールＳＲを取り出す構成を採る。従って、ロール支持装置８００を有する記録装置の設計段階において、ロール支持装置８００の上方にのみシートロールＳＲの着脱を行うための空間を確保すればよく、上下にシートロール着脱用の空間を要するロール支持構造に比べ、設計の自由度は大幅に向上する。
【００３５】
図１４ないし図１５は、上記実施形態における変形例を示す図である。この変形例におけるロールコア支持ユニット８０３は、ロールコアＳＲ１の貫通孔ＳＲ２に挿入される円柱部分８０３ｂに筒状の回転体８４０を回動自在に嵌合させたものとなっている。回転体８４０の脱落はＥリング８１３によって阻止されている。なお、この変形例においても、作動部材８０２は第１の巻きばね８０４によって付勢されると共に、ロールコア支持ユニット８０３とロール案内部材８０１との間には第２の巻きばね８０５が掛け渡されている。従って、シートロールＳＲの着脱は、前述の図１０ないし図１２と同様の動作によって行うことができる。図１４はシートロールＳＲが装着される前の初期状態を、図１５および図１６はシートロール装着時の状態をそれぞれ示している。この変形例によれば、シートロールＳＲからシートを引き出す際に回転体８４０がシートロールＳＲの回転に従動して回転するローラーベアリングとしての機能を果たすため、シートロールからのシートの引き出しをスムーズに行なうことが可能になる。
【００３６】
（第２の実施の形態）
次に本発明の第２の実施形態を図１７および図１８に基づき説明する。第２の実施形態におけるロール案内装置には、一対のロール案内部材９０１それぞれにシートロールＳＲを支持するための支持機構９２０が設けられている。一対のロール案内部材９０１および支持機構９２０は第１の実施形態と同様に、各構成部分が線対称に構成されている点を除き同一であるため、図１７および図１８では、一方のロール案内部材９０１および支持機構９２０のみを示している。ロール案内部材９０１には凹部９０１ａが形成されると共に、凹部９０１ａには支点軸９０６が設けられている。支点軸９０６には、ロールコア支持ユニット９０３が回動自在に支持されている。さらに凹部９０１ａにはロールコア支持ユニット９０３の回転を制限する傾斜した側面９０１ｂが形成されている。側面９０１ｂに当接した状態で、ロールコア支持ユニット９０３の上部は垂線Ｌｖに対して所定の角度（θ１）で傾斜し、凹部９０１ａ内に格納され、シートロールＳＲの挿脱経路から退避するようになっている。
【００３７】
また、支点軸９０６には、作動部材９０２の中間部が回動自在に支持されており、作動部材９０２の一部にはロールコア支持ユニット９０３の側面と当接可能な当接部９０２ｃが形成されている。作動部材９０２の下端部には重量物９０４が設けられている。このため、作動部材９０２の重心は、支点軸９０６からずれた位置にあり、作動部材９０２は、重量物９０４に作用する重力（自重）によって常に下死点に向けて回動付勢された状態、つまりα方向へと回動付勢された状態となっている。
【００３８】
以上の構成において、シートロールＳＲが装着されていない初期状態（図１７）では、作動部材９０２は重量物９０４によって、α方向へと回動付勢されている。このとき作動部材９０２の当接部９０２ｃはロールコア支持ユニット９０３の側面に当接し、ロールコア支持ユニット９０３を同方向（α方向）へと付勢して凹部９０１ａの側面９０１ｂに当接させた状態となっている。また、この初期状態で、作動部材９０２の接触面９０２ｂは凹部９０１ａから外方へと突出し、接触面９０２ａが略水平な状態に保たれている。
【００３９】
ここで、シートロールＳＲを一対のロール案内部材８０１の間に挿入すると、シートロールＳＲの周面が作動部材９０２の接触面９０２ａを押圧し、作動部材８１２をβ方向へと回転させる。これにより、作動部材９０２の当接部９０２ｃからロールコア支持ユニット９０３に加えられていたα方向への付勢力が解除される。その結果、ロールコア支持ユニット９０３は自重によってβ方向へと若干回転し、側部に位置するシートロールＳＲの側面に当接する（図１８（ａ）参照）。そしてシートロールＳＲがさらに下方へと挿入され、シートロールＳＲの貫通孔ＳＲ２がロールコア支持ユニット９０３に対向すると、ロールコア支持ユニット９０３は自重によってβ方向へと回転し、貫通孔ＳＲ２内に挿入される。このとき、作動部材９０２はロール案内部材９０１の凹部９０１ａ内に格納されると共に、ロール案内部材９０１の当接部９０１ｃに当接し、それ以上のβ方向への回動は阻止される。また、ロールコア支持ユニット９０３は、作動部材９０２の当接部９０２ｃに当接し、水平状態に保たれる。従って、シートロールＳＲによってロールコア支持ユニット９０３に下方への荷重が加わったとしても、ロールコア支持ユニット９０３が下方（β方向）へと回転することはない。このため、シートロールＳＲはロールコア支持ユニット９０３から脱落することなく回動自在に支持される。
【００４０】
また、シートロールＳＲをロール支持装置から取り出す場合には、シートロールＳＲを上方へと押し上げる。これにより、ロールコア支持ユニット９０３が上方（α方向）へと回転してシートロールＳＲから抜脱し、シートロールＳＲを取り出すことができる。また、ロールコア支持ユニット９０３の上方（α方向）への回転に伴い、重量物９０４によって付勢されている作動部材９０２もα方向へと回転する。その結果、作動部材９０２の当接部９０２ｃがロールコア支持ユニット９０３のロールコア支持ユニット９０３の当接部９０３ｃに当接してこれを押し上げ、ロールコア支持ユニット９０３を凹部９０１ａの側面９０１ｂに当接させた状態に保つ。これにより、ロールコア支持ユニット９０３および作動部材９０２は、初期状態に復帰することとなる。
【００４１】
以上のように、第２の実施形態によれば、第１の実施形態に設けられていた第１、第２の巻きばね８０４、８０５を省略することが可能となり、シートロール支持装置を低コストで構成することができる。また、上方からシートロールＳＲを挿入することで容易にシートロールＳＲを装着することができると共に、上方へとシートロールＳＲを押し上げることで容易にシートロールＳＲを取り外すことができる。つまりロール支持装置の上方空間からシートロールを挿入し、その上方空間へとシートロールを取り出すことができる。このため、本実施形態におけるロール支持装置を用いる記録装置では、ロール支持装置の上方にのみシートロールＳＲの着脱を行うための空間を確保すればよく、設計の自由度は大幅に向上する。
【００４２】
（他の実施形態）
上記実施形態では、シート状の記録媒体を筒状に巻いたシートロールを支持するロール支持装置およびこれを備えた記録装置を例に採り説明した。しかし、本発明は、記録媒体をロール状に巻いたロール体に限らず、他のロール体を着脱可能に支持するロール支持装置、およびそのロール支持装置を使用する、記録装置以外の装置にも本発明は適用可能である。
【００４３】
また、第１の実施形態では、作動部材を付勢する第１付勢手段として第１の巻きばねを用い、ロールコア支持ユニットを付勢する第２付勢手段として第２の巻きばねを用いたが、これらの巻きばねに代えて板ばね、コイルばね、あるいはゴムなどの弾性体を用いてもよい。
【符号の説明】
【００４４】
１００  記録装置
１０２  記録手段
８００  ロール支持装置
８０１，９０１  ロール案内部材
８０３，９０３  ロールコア支持ユニット
８０２，９０２  作動部材（連動ユニット）
８０４  第１の巻きばね（第１付勢手段）
８０５  第１の巻きばね（第２付勢手段）
８０６  支点軸
８３０  回転体
Ｈ  記録ヘッド
ＳＲ  シートロール（ロール体）
ＳＲ１  ロールコア
ＳＲ２  貫通孔
【図１】
2018043810.tif 000003
【図２】
2018043810.tif 000004
【図３】
2018043810.tif 000005
【図４】
2018043810.tif 000006
【図５】
2018043810.tif 000007
【図６】
2018043810.tif 000008
【図７】
2018043810.tif 000009
【図８】
2018043810.tif 000010
【図９】
2018043810.tif 000011
【図１０】
2018043810.tif 000012
【図１１】
2018043810.tif 000013
【図１２】
2018043810.tif 000014
【図１３】
2018043810.tif 000015
【図１４】
2018043810.tif 000016
【図１５】
2018043810.tif 000017
【図１６】
2018043810.tif 000018
【図１７】
2018043810.tif 000019
【図１８】
2018043810.tif 000020